(57)【要約】【課題】家庭に置いてもらうことによって強力な販促ツールとなり、売上向上につなげることができる配達メニュー，クーポン付きカレンダーを提供する。【解決手段】台紙の少なくとも片側に、１枚以上のシートが接着剤により固定されたカレンダーであって、シート、またはシートに覆われていない台紙部分に配達メニュー情報及び連絡先情報が、前記シートの少なくとも１枚にクーポン情報が形成されたカレンダーを提供する。【選択図】  図１
2005319719.tif 000002
【特許請求の範囲】
【請求項１】
台紙の少なくとも片側に、１枚以上のシートが接着剤により固定されたカレンダーであって、
シート、または、シートに覆われていない台紙部分に配達メニュー情報及び連絡先情報が形成されたことを特徴とするカレンダー。
【請求項２】
前記台紙にはカレンダーの最終月の暦が形成されたことを特徴とする請求項１に記載のカレンダー。
【請求項３】
前記カレンダーの少なくとも１枚にクーポン券が形成されたことを特徴とする請求項１〜２何れかに記載のカレンダー。
【請求項４】
前記配達メニュー情報，連絡先情報，クーポン券情報は、プリンタによって形成されたことを特徴とする請求項１〜３に記載のカレンダー。
【請求項５】
前記カレンダーは、配達先に無償で提供されることを特徴とする請求項１〜４何れかに記載のカレンダー。
【発明の詳細な説明】
【技術分野】
【０００１】
本発明は、カレンダーに関し、詳しくは、日付表示以外の場所に配達メニュー情報及び連絡先情報が表示されたカレンダーに関する。
【背景技術】
【０００２】
近年、宅配サービスの多様化に伴って、従来から行われている出前食品のほかに、近距離宅配物である酒類，野菜，米など加工前食品も宅配されるようになった。これらの宅配食品は、地域色が強く、居住している場所の近くから取り寄せる場合が多い。
また、これら食品の宅配を依頼する場合は、新聞などに折り込まれたキャンペーンのチラシなどに記載された電話番号などを調べて電話したり、インターネットのホームページに記入して申し込む。
しかも、宅配食品を申し込む時は、多くの場合、来客の場合や多忙で食事を作る時間がない場合に多い。
こういう時に限って保管していたチラシが見つからなかったり、通信端末が使用中であったりして注文が遅れる。
【０００３】
一方、名入れが低コストで実現でき、広告を印刷したカレンダーが提案されている（例えば特許文献１参照）。
この開示技術は、カレンダー本体部の上に帯状の覆紙を上縁が揃うように重ね、上縁に沿ってホチキス止めしてカレンダー本体部と覆紙を一緒に綴じる。覆紙を裏側に折り曲げてカレンダー本体の裏面に接着し、吊り下げ用の孔で吊り下げて使用する。
覆紙には広告を印刷して使用するというものである。
食品、例えば、ピザ，鮨などの宅配業界は、宅配の注文率を上げる目的で、従来から、チラシを配布しており、同業他社を排除し自社のメニューを手元においてもらう目的でクーポンを付けたり、チラシに装飾を施すなどの工夫をこらしている。
しかし宅配の一般化と同業他社の増加により、単にクーポン付きのチラシ類を配布するだけではメニューを手元においてもらうことが困難になっている。
【０００４】
【特許文献１】特開２００２−１９３３１
【発明の開示】
【発明が解決しようとする課題】
【０００５】
そこで、家庭に置いてもらうことによって強力な販促ツールとなり、売上向上につなげることができる配達メニュー，クーポン付きカレンダーを提供する。
【課題を解決するための手段】
【０００６】
前記の課題の目的を達成するために、本発明のカレンダーの請求項１に記載の発明は、台紙の少なくとも片側に、１枚以上のシートが接着剤により固定されたカレンダーであって、シート、または、シートに覆われていない台紙部分に配達メニュー情報及び連絡先情報が形成されたことを特徴とするものである。
【０００７】
また、請求項２に記載の発明は、請求項１に記載の発明において、台紙にはカレンダーの最終月の暦が形成されたことを特徴とするものである。
【０００８】
また、請求項３に記載の発明は、請求項１〜２何れかに記載の発明において、カレンダーの少なくとも１枚にクーポン券が形成されたことを特徴とするものである。
【０００９】
また、請求項４に記載の発明は、請求項１〜３に記載の発明において、配達メニュー情報，連絡先情報，クーポン券情報は、プリンタによって形成されたことを特徴とするものである。
【００１０】
また、請求項５に記載の発明は、請求項１〜４何れかに記載の発明において、カレンダーは、配達先に無償で提供されることを特徴とするものである。
【発明の効果】
【００１１】
１）請求項１に記載のように、台紙の少なくとも片側に、１枚以上のシートが接着剤により固定されたカレンダーであって、シート、または、シートに覆われていない台紙部分に配達メニュー情報及び連絡先情報が形成されたことによって、利用者にとっては何時も目にすることができる場所で確認することができ、また、カレンダーにプリントされていることから１年以内の情報として利用でき、電話で申し込んだら休みであったり、店が営業していなかったりで途方にくれることがない。
２）また、請求項２に記載のように、請求項１に記載の発明において、台紙にはカレンダーの最終月の暦が形成されたことによって、カレンダーのコストを安くすることができる。
３）また、請求項３に記載のように、請求項１〜２何れかに記載の発明において、カレンダーの少なくとも１枚にクーポン券が形成されたことによってより販促効果を高めることができる。
４）また、請求項４に記載のように、請求項１〜３に記載の発明において、配達メニュー情報，連絡先情報，クーポン券情報は、プリンタによって形成されたことによってカレンダーの製造コストを安くすることができる。
また、各シート毎に異なった情報をプリントしたり、異なった組み合わせの印刷物を多品種小ロットで提供できるため、季節や地域に応じた多様なキャンペーンが展開でき有効な販促ツールとして活用できる。
５）また、請求項５に記載のように、請求項１〜４何れかに記載の発明において、カレンダーは、配達先に無償で提供されることによって、カレンダー提供者の売上に貢献し、利用者にも喜んで使用してもらうことができる。
【発明を実施するための最良の形態】
【００１２】
以下、図面を参照して本発明のカレンダーについて説明する。
図１は本発明のカレンダーの一例について説明するための図，図２及び図３は、本発明のカレンダーの、他の一例について説明するための図，図４は、図３のＡ−Ａ線断面図，図５，図６は本発明のカレンダーの、他の一例について説明するための図，図７は、クーポン券付きカレンダーの一例について説明するための図，である。
【００１３】
図１を参照して本発明のカレンダーの一例について説明する。
図１に示すカレンダー１は、厚手の台紙１１に台紙より薄い紙からなるシート１２を１枚、または複数枚重ね合わせて接着したカレンダーである。
図１に示す例は、カレンダーの暦情報（日付情報）３を形成する「玉部」が毎月変わるタイプのカレンダーで、シート１２の枚数が６枚構成であれば半年用カレンダー、１２枚構成であれば１年用のカレンダーである。
台紙部の見える部分には、絵画，写真，イラスト，デザインなどが印刷される。また、シート１２で遮られた台紙のシートに覆われた面には、暦情報の１部、例えば、１年もののカレンダーであれば１２月の暦情報を印刷することもできる。
また、台紙１１の見える部分には、表示していないが前述のように、カレンダーのデザインや、図に示すような寿司店のメニュー情報２１，休業日を含む連絡先（店の電話番号）情報２２がプリンタで印字される。
図１に示す縦型のカレンダーには、カレンダーの上部中央に、壁などに吊り下げられるように吊り下げ用の孔を形成することもできる。
【００１４】
カレンダーのシート１２の部分は、毎月剥されて薄くなってゆくが、台紙の部分はカレンダーのシート１２が無くなるまで残り、台紙１１の上部に形成されたメニュー情報２１，連絡先情報２２は、最後まで残る。
シート１２の枚数が多いほど台紙１１の強度を高める必要があり、また、壁などに前記孔部で吊り下げることから、台紙は、シートの枚数が多いほど厚目の紙を使用しなければならない。
【００１５】
図２を参照して、本発明のカレンダーの他の一例について説明する。
図２に示す例は、卓上タイプのカレンダーで、カレンダー１の暦情報３と、デザイン４及びメニュー情報２１，連絡先情報印字部が横にデザインされた場合である。
図２のような形態を取る場合は、シート部分と、台紙は図２の上部で固定する。
【００１６】
図３を参照して、本発明のカレンダーの、他の一例について説明する。
図３に示す例は、図１の実施形態の１シートに２ヶ月分の暦情報を印刷した例である。
このような形態を取った場合は、半年分を２シート（台紙１シート）で，１年分を５シートの暦で構成できるために、１部当りのカレンダーを安価に作製でき、しかも、強度的に台紙に負担を掛けなくて済む。
【００１７】
図４を参照して、図３のＡ−Ａ線断面について説明する。
台紙１１の片面には、デザイン領域４０に印刷された印刷インキが形成され、印刷インキの上に静電プリンタによるトナーや、インクジェットプリンタによるインキなどのプリンター印字材料２１０でメニュー情報が形成されている。
また、台紙１１のトナー印字面の左片側には複数枚のシート１２が、重ね合わせられて接着剤５で台紙１１に固定されている。
シート同士は、接着剤で貼り合わせられているが、これら複数枚貼り合わせられたシートと台紙の接着は、接着剤５や、例えば、ホチキスのような止め具で固定される。
前記それぞれのシートの少なくとも片面に印刷インキ３０によって暦情報などが印刷されている。
【００１８】
図５を参照して本発明のカレンダーの、他の一例について説明する。
図５に示す例は、図１の実施形態に似ているが、カレンダーの玉の部分即ち暦情報３を印刷したシート１２の部分を上部にあしらい、厚紙や、金属などの補助具１３にカレンダー全体１を固定し、卓上型にした例である。この場合は、台紙とシートを同じ材料、同じ厚さとすることができる。
図１，図４，図５に示す例について、カレンダーの玉を印刷したシート１２の部分を台紙１１の中央に位置させると、デザインは、台紙の上部に印刷し、メニュー情報及び連絡先情報２を台紙１１の下部に表示することもできる。
【００１９】
図６を参照して本発明のカレンダーの、他の一例について説明する。
図６に示す例は、台紙１１とシート１２が同一サイズで、「玉部」が毎月変わるタイプのカレンダーで、シート１２の枚数が５〜６枚、または、１１〜１２枚構成のカレンダーである。カレンダーには、図に示すように毎月変わるお奨め品情報などがメニュー情報２１に添えられている。また、店の電話番号等の連絡先情報２２がメニュー情報と共にプリンタで印字されている。
【００２０】
図７を参照して、クーポン券付きカレンダーの一例について説明する。
カレンダーのメニュー情報及び連絡先情報２の下部には、切取り線１２１で囲まれたクーポン券６が形成されている。クーポン券６には、寿司を宅配で注文する際にクーポン券を使用するか否か事前に申し出るよう記載されている。
【００２１】
（実施例）
ここで、図４の１部を参照して、連続フォーム方式で作製する本発明のカレンダーの作製方法の一例について説明する。
まず、台紙１１をオフセット方式による印刷機で印刷し、ロールで巻き取る。
デザイン部は、４色で印刷するために４色印刷用の印刷機を使用する。
メニュー情報及び連絡先情報をプリンタで印字するために印刷と同時に、台紙フォームの両サイドにピントラクタ用の送り孔を形成する。
【００２２】
カレンダーの暦情報（玉部３０）を印刷するために台紙同様オフセット方式による印刷機で２列同時印刷し、センタースリットを入れて２本のロールで巻き取る。
印刷部は、休日，祝日部を赤で，月表示部を２色で印刷するために４色印刷用の印刷機を使用する。
丁合装置を使用し、重ね合わせた暦部を形成するために２本のロールの両脇にピントラクタ用の送り孔を形成する。
【００２３】
台紙デザイン印刷済みロール紙にロールプリンタを使用し、メニュー情報及び連絡先情報をプリントする。
メニュー情報及び連絡先情報は、小ロットとなるために複数のロットを、区分け情報をプリントしながらプリントし、まとめてロールで巻き取る。
【００２４】
２ヶ月分を１シートに表示する３枚丁合の半年カレンダーであるために、丁合装置に、半年分の暦情報印刷済みロール３ロールと、メニュー情報及び連絡先情報をプリントした台紙フォームを１ロールセットし、接着剤塗布装置をセットし、丁合し、１部ごとに切断してカレンダーを作製する。
【００２５】
（材料）
印刷は、オフセット印刷方式で印刷し、紫外線硬化型のインキを使用した。また、プリンタは、トナー印字型のページプリンタを使用した。
また、カレンダー作製のために、台紙用として重さ１０５ｇ／ｍ2の上質紙を、暦情報印刷用「シート」用として重さ６４ｇ／ｍ2の上質紙を使用した。
また、シート同士、シートと台紙の接着は、酢酸ビニル系のエマルジョン接着剤をライン状（線状）に塗布して実施した。
【００２６】
なお、使用する材料は、プリンタで印字可能な範囲の厚みのものであれば良く、例えば、プリントタがインクジェットプリンタのような場合は、厚手の台紙が選択でき、シート部が１２枚物の場合は、丁合、切断したものを更に丁合して作製するためにシート用の丁合装置を併用する。従って、紙もプリンタの印字適性があれば上質紙に拘るものではなく、また、印刷インキも、紫外線硬化型の乾燥装置がなければ酸化重合型のインキを使用してもよい。
また、接着剤は、アクリル系，ポリビニルアルコール系，澱粉系，他何れの系の接着剤を使用してもよい。
即ち、上述の材料に限定するものではなく、また、作製方法も前述の方法に拘るものではない。
【産業上の利用可能性】
【００２７】
サービス用、販促用のカレンダーとして使用できる。
【図面の簡単な説明】
【００２８】
【図１】本発明のカレンダーの一例について説明するための図である。
【図２】本発明のカレンダーの、他の一例について説明するための図である。
【図３】本発明のカレンダーの、他の一例について説明するための図である。
【図４】図３のＡ−Ａ線断面図である。
【図５】本発明のカレンダーの、他の一例について説明するための図である。
【図６】本発明のカレンダーの、他の一例について説明するための図である。
【図７】クーポン券付きカレンダーの一例について説明するための図である。
【符号の説明】
【００２９】
１      カレンダー
２      メニュー情報及び連絡先情報
３      暦情報
４      デザイン
５      接着剤
６      クーポン券
１１    台紙
１２    シート
１３    卓上用補助具
２１    メニュー情報
２２    連絡先情報
３０    印刷インキ
４０    デザイン領域
１２１  切取り線
２１０  プリンター印字材料
【図１】
2005319719.tif 000003
【図２】
2005319719.tif 000004
【図３】
2005319719.tif 000005
【図４】
2005319719.tif 000006
【図５】
2005319719.tif 000007
【図６】
2005319719.tif 000008
【図７】
2005319719.tif 000009